(57)【特許請求の範囲】
【請求項１】
ベースと、
第１軸周りに回転可能に前記ベースに取り付けられ、前記第１軸に垂直な第２軸に沿って延びるスイングアームと、
前記スイングアームに前記第２軸周りに回転可能に連結され、前記第２軸に沿って延びるシャフトの回転に応じて、前記スイングアームを前記ベースに選択的にロックするロックアセンブリとを備え、
前記ロックアセンブリは、
前記スイングアームが前記ベースに対して所定の位置にロックされる第１位置と、前記スイングアームが前記ベースに対して前記第１軸周りに回転可能となる第２位置との間を移動可能なピンと、
前記シャフトに連結され、前記シャフトとともに前記第２軸周りに回転可能なマウントと、
前記マウントに隣接し、従動アームに連結されるカムとを有し、
前記マウントは、前記カムと係合して前記従動アームを前記第２軸に沿って移動させるカム面を有し、
前記シャフトの回転により生じる前記カム面からの力によって、前記従動アームが前記第２軸に沿って移動することにより、前記ピンを、前記第２位置から前記第１位置まで前記第１軸に沿って移動させる、装置。
【請求項２】
前記スイングアームおよび前記ベースはそれぞれ少なくとも１つの孔を有し、
前記スイングアームを前記ベースにロックするべく、前記ピンが前記少なくとも１つの孔を滑動する請求項１に記載の装置。
【請求項３】
前記スイングアームが前記ベースに対して前記第１軸周りに回転可能となる前記第２位置へと、前記ピンを付勢する付勢機構を更に備え、
前記シャフトが第１向きから第２向きへと回転すると、前記スイングアームを前記ベースにロックするべく、前記ピンが前記孔に挿入されて前記第１位置に配置される請求項２に記載の装置。
【請求項４】
第１の方向への前記ピンの動きを制限する制限プレートを更に備える請求項３に記載の装置。
【請求項５】
前記スイングアームを前記ベースにロックするべく前記ピンが前記孔に挿入される前記第１位置に、前記ピンを付勢する付勢機構を更に備え、
前記シャフトが第１向きから第２向きへと回転すると、前記ピンが、前記スイングアームが前記ベースに対して前記第１軸周りに回転可能となる前記第２位置に配置される請求項２から４のいずれか一項に記載の装置。
【請求項６】
前記スイングアームは、前記第１軸周りに３６０°回転可能であり、
前記ベースは、前記スイングアームを前記ベースに対して複数の位置でロック可能とする複数の孔を有し、
前記スイングアームが第１位置にある場合、前記ピンが前記複数の孔のうちの第１の孔に挿入されて、前記スイングアームが前記ベースにロックされ、
前記スイングアームが第２位置にある場合、前記ピンが前記複数の孔のうちの第２の孔に挿入されて、前記スイングアームが前記ベースにロックされる請求項１から５のいずれか一項に記載の装置。
【請求項７】
前記シャフトが第１の角運動範囲内にある場合、前記スイングアームは、前記第１軸周りに回転し、
前記シャフトが第２の角運動範囲内にある場合、前記スイングアームは、前記第１軸周りに回転しない請求項１から６のいずれか一項に記載の装置。
【請求項８】
電子機器の筐体であって、
第１部分と、
前記第１部分にヒンジアセンブリによって取り付けられる第２部分とを備え、
前記ヒンジアセンブリは、
ベースと、
第１軸周りに回転可能に前記ベースに取り付けられ、前記第１軸に垂直な第２軸に沿って延びるスイングアームと、
前記スイングアームに前記第２軸周りに回転可能に連結され、前記第２軸に沿って延びるシャフトの回転に応じて、前記スイングアームを前記ベースに選択的にロックするロックアセンブリとを有し、
前記ロックアセンブリは、
前記スイングアームが前記ベースに対して所定の位置にロックされる第１位置と、前記スイングアームが前記ベースに対して前記第１軸周りに回転可能となる第２位置との間を移動可能なピンと、
前記シャフトに連結され、前記シャフトとともに前記第２軸周りに回転可能なマウントと、
前記マウントに隣接し、従動アームに連結されるカムとを含み、
前記マウントは、前記カムと係合して前記従動アームを前記第２軸に沿って移動させるカム面を有し、
前記シャフトの回転により生じる前記カム面からの力によって、前記従動アームが前記第２軸に沿って移動することにより、前記ピンを、前記第２位置から前記第１位置まで前記第１軸に沿って移動させる、筐体。
【請求項９】
前記スイングアームおよび前記ベースはそれぞれ少なくとも１つの孔を有し、
前記スイングアームを前記ベースにロックするべく、前記ピンが前記少なくとも１つの孔を滑動する請求項８に記載の筐体。
【請求項１０】
前記スイングアームが前記ベースに対して前記第１軸周りに回転可能となる前記第２位置へと、前記ピンを付勢する付勢機構を更に備え、
前記シャフトが第１向きから第２向きへと回転すると、前記スイングアームを前記ベースにロックするべく、前記ピンが前記孔に挿入されて前記第１位置に配置される請求項９に記載の筐体。
【請求項１１】
第１の方向への前記ピンの動きを制限する制限プレートを更に備える請求項１０に記載の筐体。
【請求項１２】
前記スイングアームを前記ベースにロックするべく前記ピンが前記孔に挿入される前記第１位置に、前記ピンを付勢する付勢機構を更に備え、
前記シャフトが第１向きから第２向きへと回転すると、前記ピンが、前記スイングアームが前記ベースに対して前記第１軸周りに回転可能となる前記第２位置に配置される請求項９から１１のいずれか一項に記載の筐体。
【請求項１３】
前記スイングアームは、前記第１軸周りに３６０°回転可能であり、
前記ベースは、前記スイングアームを前記ベースに対して複数の位置でロック可能とする複数の孔を有し、
前記スイングアームが第１位置にある場合、前記ピンが前記複数の孔のうちの第１の孔に挿入されて、前記スイングアームが前記ベースにロックされ、
前記スイングアームが第２位置にある場合、前記ピンが前記複数の孔のうちの第２の孔に挿入されて、前記スイングアームが前記ベースにロックされる請求項８から１２のいずれか一項に記載の筐体。
【請求項１４】
前記シャフトが第１の角運動範囲内にある場合、前記スイングアームは、前記第１軸周りに回転し、
前記シャフトが第２の角運動範囲内にある場合、前記スイングアームは、前記第１軸周りに回転しない請求項８から１３のいずれか一項に記載の筐体。
【請求項１５】
第１部分、および、前記第１部分にヒンジアセンブリによって取り付けられる第２部分を有する筐体を備え、
前記ヒンジアセンブリは、
ベースと、
第１軸周りに回転可能に前記ベースに取り付けられ、前記第１軸に垂直な第２軸に沿って延びるスイングアームと、
前記スイングアームに前記第２軸周りに回転可能に連結され、前記第２軸に沿って延びるシャフトの回転に応じて、前記スイングアームを前記ベースに選択的にロックするロックアセンブリとを有し、
前記ロックアセンブリは、
前記スイングアームが前記ベースに対して所定の位置にロックされる第１位置と、前記スイングアームが前記ベースに対して前記第１軸周りに回転可能となる第２位置との間を移動可能なピンと、
前記シャフトに連結され、前記シャフトとともに前記第２軸周りに回転可能なマウントと、
前記マウントに隣接し、従動アームに連結されるカムとを含み、
前記マウントは、前記カムと係合して前記従動アームを前記第２軸に沿って移動させるカム面を有し、
前記シャフトの回転により生じる前記カム面からの力によって、前記従動アームが前記第２軸に沿って移動することにより、前記ピンを、前記第２位置から前記第１位置まで前記第１軸に沿って移動させる、電子機器。
【請求項１６】
前記スイングアームおよび前記ベースはそれぞれ少なくとも１つの孔を有し、
前記スイングアームを前記ベースにロックするべく、前記ピンが前記少なくとも１つの孔を滑動する請求項１５に記載の電子機器。
【請求項１７】
前記スイングアームが前記ベースに対して前記第１軸周りに回転可能となる前記第２位置へと、前記ピンを付勢する付勢機構を更に備え、
前記シャフトが第１向きから第２向きへと回転すると、前記スイングアームを前記ベースにロックするべく、前記ピンが前記孔に挿入されて前記第１位置に配置される請求項１６に記載の電子機器。
【請求項１８】
第１の方向への前記ピンの動きを制限する制限プレートを更に備える請求項１７に記載の電子機器。
【請求項１９】
前記スイングアームを前記ベースにロックするべく前記ピンが前記孔に挿入される前記第１位置に、前記ピンを付勢する付勢機構を更に備え、
前記シャフトが第１向きから第２向きへと回転すると、前記ピンが、前記スイングアームが前記ベースに対して前記第１軸周りに回転可能となる前記第２位置に配置される請求項１６から１８のいずれか一項に記載の電子機器。
【請求項２０】
前記スイングアームは、前記第１軸周りに３６０°回転可能であり、
前記ベースは、前記スイングアームを前記ベースに対して複数の位置でロック可能とする複数の孔を有し、
前記スイングアームが第１位置にある場合、前記ピンが前記複数の孔のうちの第１の孔に挿入されて、前記スイングアームが前記ベースにロックされ、
前記スイングアームが第２位置にある場合、前記ピンが前記複数の孔のうちの第２の孔に挿入されて、前記スイングアームが前記ベースにロックされる請求項１５から１９のいずれか一個に記載の電子機器。
【請求項２１】
前記シャフトが第１の角運動範囲内にある場合、前記スイングアームは、前記第１軸周りに回転し、
前記シャフトが第２の角運動範囲内にある場合、前記スイングアームは、前記第１軸周りに回転しない請求項１５から２０のいずれか一項に記載の電子機器。
【発明の詳細な説明】
【技術分野】
【０００１】
本発明は、電子機器の分野に関し、より詳細には、１以上の電子機器の自動ヒンジロックアセンブリに関する。
【背景技術】
【０００２】
電子機器の中には、二つ折り式（clamshell：シェル型）の筐体を使用しているものが存在する。例えば、多くのラップトップコンピュータおよび携帯電子機器では、キーボードが第１部分に配置され、ディスプレイが、第１部分とヒンジによって連結された第２部分に配置される二つ折り式の筐体が使用されている。二つ折り式の筐体を操作するアセンブリが考えられ得る。
【０００３】
以下、添付の図面を参照して詳細に説明する。
【図面の簡単な説明】
【０００４】
【図１】ある実施形態に係る、自動ヒンジロックアセンブリを備えるように変更されてもよい電子機器の一例を示した概略図である。
【図２Ａ】ある実施形態に係る、自動ヒンジロックアセンブリの概略斜視図である。
【図２Ｂ】ある実施形態に係る、自動ヒンジロックアセンブリの一部分を示した概略斜視図である。
【図２Ｃ】ある実施形態に係る、自動ヒンジロックアセンブリの一部分を示した概略斜視図である。
【図３Ａ】ある実施形態に係る、自動ヒンジロックアセンブリを備える電子機器の概略図である。
【図３Ｂ】ある実施形態に係る、自動ヒンジロックアセンブリを備える電子機器の概略図である。
【図４】一実施形態に係る、ロックされてもよい電子機器を示した概略図である。
【発明を実施するための形態】
【０００５】
以下、自動的にヒンジアセンブリをロックする方法および装置の例について説明する。ある実施形態では、本発明に係る装置および方法は、特に電子機器において有用であると考えられる。以下の詳細な説明では、本発明を理解するために多くの詳細事項が記される。しかしながら、これら詳細事項がなくとも本発明を実施可能であることは、当業者にとって明らかである。また、本発明を不明瞭にしない目的から、他の場合においては、周知の方法、手順、構成要素および回路等の詳細な説明を省略している。
【０００６】
図１は、ある実施形態に係る、電子機器１００の一例を示した概略図である。一実施形態において、電子機器１００は、１以上のスピーカ１０６、キーボード１１０、１以上のＩ／Ｏデバイス１１２およびマウス１１４のような、１以上の入出力デバイスを備える。その他のＩ／Ｏデバイス１１２として、タッチスクリーン、音声起動入力デバイス、トラックボール、および、ユーザからの入力を電子機器１００に受信させることができるその他の装置が含まれてもよい。
【０００７】
様々な実施形態において、電子機器１００は、パーソナルコンピュータ、ラップトップコンピュータ、パーソナルデジタルアシスタント、携帯電話、娯楽端末、または、その他のコンピュータデバイスである。電子機器１００は、システムハードウェア１２０、および、ランダムアクセスメモリおよび／またはリードオンリーメモリであってもよいメモリ１３０を備える。ファイル格納部１８０は、電子機器１００と通信可能に連結されていてもよい。ファイル格納部１８０は、例えば、１以上のハードドライブ、ＣＤ−ＲＯＭドライブ、ＤＶＤ−ＲＯＭドライブ、または、その他の種類の記憶デバイスのように、コンピュータデバイス１０８の内部に配置されてもよい。ファイル格納部１８０は、例えば、１以上の外付けハードドライブ、ネットワーク付属記憶装置または別に設けられた記憶ネットワーク等、コンピュータデバイス１０８の内部に配置されてもよい。
【０００８】
システムハードウェア１２０は、１以上のプロセッサ１２２、グラフィックスプロセッサ１２４、ネットワークインターフェース１２６およびバス構造１２８を含んでもよい。一実施形態において、プロセッサ１２２は、米国、カリフォルニア州、サンタクララのインテルコーポレーションから入手可能な、Intel Core2 Duo（登録商標）プロセッサであってもよい。本明細書で使用されている"プロセッサ"という言葉は、任意の種類のコンピュータの要素を意味し、これに限定されないが、例えば、マイクロプロセッサ、マイクロコントローラ、ＣＩＳＣ（complex instruction set computing）マイクロプロセッサ、縮小命令セットコンピュータ（reduced instruction set：ＲＩＳＣ）マイクロプロセッサ、ＶＬＩＷ（very long instruction word）マイクロプロセッサ、または、任意の種類のプロセッサまたは処理回路を意味する。
【０００９】
ある実施形態では、システムハードウェア１２０内のプロセッサ１２２のうちの１つとして、以下、マネージメントエンジン（manageability engine：ＭＥ）と称される、低電力混載プロセッサを含んでもよい。マネージメントエンジン１２２は、独立した集積回として実装されてもよいし、大きなプロセッサ１２２の専用部分として実装されてもよい。
【００１０】
グラフィックスプロセッサ１２４は、グラフィックスおよび／またはビデオオペレーションを扱う補助プロセッサとして機能してもよい。グラフィックスプロセッサ１２４は、コンピュータシステム１００のマザーボードに組み込まれてもよい、または、拡張スロットを介してマザーボード上に連結されてもよい。
【００１１】
一実施形態において、ネットワークインターフェース１２６は、イーサーネットインターフェース（例えば、電気電子技術者協会（ＩＥＥＥ）８０２．３−２００２を参照）またはＩＥＥＥ８０２．１１ａ、ｂまたはｇに準拠するインターフェースのような無線インタフェース（例えば、システムＬＡＮ／ＭＡＮ間のＩＴ通信および情報交換のためのＩＥＥＥ規格−パートＩＩ：無線ＬＡＮ媒体アクセス制御（ＭＡＣ）および物理層（ＰＨＹ）規格修正４：２．４ＧＨｚ帯における更なる高データレート拡張、８０２．１１Ｇ−２００３を参照）であってもよい。無線インターフェースの別の例としては、ＧＰＲＳ（general packet radio service）インターフェース（例えば、ＧＰＲＳハンドセットの要件に関するガイドライン、Global System for Mobile Communications／ＧＳＭ（登録商標）アソシエーション  Ｖｅｒ．３．０．１、２００２年１２月を参照）が挙げられる。
【００１２】
バス構造１２８は、システムハードウェア１２８の様々な構成要素を接続する。一実施形態において、バス構造１２８は、メモリバス、周辺機器用バスまたは外部バス、および／または、利用可能な様々なバス構造を使用したローカルバスのうちの１以上であってもよく、これに限定されないが、１１ビットバス、インダストリアル・スタンダード・アーキテクチャ（ＩＳＡ）、マイクロ・チャネル・アーキテクチャ（ＭＳＡ）、拡張ＩＳＡ（ＥＩＳＡ）、インテリジェント・ドライブ・エレクトロニクス（ＩＤＥ）、ＶＥＳＡローカルバス（ＶＬＢ）、ペリフェラル・コンポーネント・インターコネクト（ＰＣＩ）、ユニバーサル・シリアル・バス（ＵＳＢ）、アドバンスト・グラフィックス・ポート（ＡＧＰ）、パーソナルコンピュータ・メモリカード・インターナショナルアソシエーション（ＰＣＭＣＩＡ）バス、および、スモールコンピュータシステムインターフェース（ＳＣＳＩ）を使用してもよい。
【００１３】
メモリ１３０は、コンピュータデバイス１０８のオペレーションを管理するオペレーティングシステム１４０を有してもよい。一実施形態において、オペレーティングシステム１４０は、システムハードウェア１２０にインターフェースを提供するハードウェアインターフェースモジュール１５４を含む。加えて、オペレーティングシステム１４０は、コンピュータデバイス１０８のオペレーションで使用されるファイルを管理するファイルシステム１５０、および、コンピュータデバイス１０８で実行されるプロセスを管理するプロセス制御サブシステム１５２を含んでもよい。
【００１４】
オペレーティングシステム１４０は、システムハードウェア１２０と連動して、リモートソースからデータパケットおよび／またはデータストリームを送受信する、１以上の通信インターフェースを含んでもよい（または管理してもよい）。オペレーティングシステム１４０はさらに、オペレーティングシステム１４０と、メモリ１３０内の１以上のアプリケーションモジュールとの間のインターフェースを提供する、システムコールインタフェースモジュール１４２を有してもよい。オペレーティングシステム１４０は、ＵＮＩＸ（登録商標）オペレーティングシステム、または、派生システム（たとえば、Ｌｉｎｕｘ（登録商標）、Ｓｏｌａｒｉｓ等）、または、Ｗｉｎｄｏｗｓ（登録商標）ブランドのオペレーティングシステム、または、その他のオペレーティングシステムであってもよい。
【００１５】
一実施形態において、電子機器１００は、二つ折り式の筐体を有し、当該筐体は、キーボード、マザーボードおよびその他の構成要素を収容する、一般的にベースと称される第１部分１６０と、ディスプレイを収容する第２部分１６２を有する。第１部分１６０と第２部分１６２とは、二つ折り式の筐体を開閉可能とするヒンジアセンブリによって接続されている。
【００１６】
ある実施形態では、電子機器１００は、電子機器１００の２つ折り式筐体のディスプレイ部分を自動的にロックおよび解除する自動ヒンジロック開放アセンブリを備えてもよく、この自動ヒンジロック開放アセンブリは、２つ折り式筐体のディスプレイ部分を、ベース部分に対して、回転可能および回転不可能とする。自動ヒンジロックアセンブリの実施形態を、図２Ａから図２Ｃを参照して以下に説明する。図２Ａは、ある実施形態に係る、自動ヒンジロックアセンブリを概略的に示した斜視図である。
【００１７】
図２Ａから図２Ｃに示すように、ある実施形態では、自動ヒンジロック開放アセンブリ２００は、ベース２１０、ベース２１０上に配置され第１軸周りに回転可能なスイングアーム２２０、および、スイングアーム２２０に連結されたシャフト２２２の回転に応じて、スイングアーム２２０をベースに対して選択的にロック（固定）するロックアセンブリを備える。ある実施形態では、ロックピン２３０は、スイングアームがベースに対して、所定の位置にロックされる第１位置と、スイングアームが第１軸周りに回転可能となる第２位置との間で移動可能であり、ブラケット２５０が、スイングアーム２２０に接続されたシャフト２２２に連結されており、カム２４０がブラケット２５０に連結されており、従動アーム２４６がピン２３０に連結されており、スイングアームに接続されたシャフト周りにブラケット２５０を回転させると、ロックピンが、第１位置と第２位置との間を移動する。
【００１８】
図２Ａに示すように、ベース２１０は、電子機器の構成要素を収容する筐体にベース２１０を固定するための１以上のブラケット２１２を有してもよい。一例として、ベース２１０は、ラップトップコンピュータのような電子機器の第１部分１６０内に配置されてもよく、スイングアーム２２０は、電子機器の第２部分１６２のヒンジアセンブリを画定する。
【００１９】
プレート２１４がベース２１０上に配置され、プレート２１４上にインサート２１６が配置される。スイングアーム２２０は、インサート２１６上に回転可能に配置されて、スイングアーム２２０は、インサート２１６の面、すなわち、Ｚ軸２６０によって規定される面に対して、垂直な軸を中心に回転することができる。ある実施形態では、スイングアーム２２０は、３６０°回転してもよく、別の実施形態では、３６０°よりも少ない量だけ回転してもよい。
【００２０】
スイングアーム２２０は、ロックピン２３０を受容する孔２３６を有し、ロックピン２３０は、インサート２１６を通過して延在して、スイングアーム２２０がベース２１０に対して回転しないように、スイングアーム２２０をベース２１０にロックする。ロックピン２３０の周りに圧縮ばね２３２が配置され、上向きの方向にロックピン２３０を付勢して、この場合、スイングアーム２２０がベース２１０周りに回転可能になる。制限プレート２３４は、圧縮ばね２３２による付勢による、ロックピン２３０の上側への移動を制限する。ロックピン２３０は、従動アーム２４６と協働してロックピン２３０を駆動する傾斜面２３８を有する。
【００２１】
シャフト２２２は、スイングアーム２２０の端部に配置されて、筐体の第１部分１６０と第２部分１６２との間のヒンジを提供する。ブラケット２５０は、シャフト２２２に連結されて、筐体の第２部分１６２をシャフト２２２に接続する。ブラケットマウント２５２は、カム２４０と係合して従動アーム２４６を駆動するカム面を有し、従動アームが駆動されると、ロックピン２３０が駆動される。付勢ばね２４２およびワッシャ２４４も、シャフト２２２上に配置される。以下、ヒンジアセンブリの動作について詳細に説明する。
【００２２】
図２Ｂは、アセンブリ２００全体を詳細に示した図である。図において、アセンブリの内部構造が可視化されるように、ベース２００がブロックで描かれ、スイングアーム２２０が線で描かれている。図２Ｂに示す実施形態では、スイングアーム２２０は、シャフト２２２上のスイングアーム２２０の両側に配置された２つのヒンジブラケット２５０を含む。スイングアーム２２０が組み立てられると、付勢ばね２４２は、カム２４０をブラケットマウント２５０に向けて付勢する。同様に、圧縮ばね２３２は、ロックピンを上向き方向に付勢する。制限プレート２４０が、ロックピンの上向き方向の動きの範囲を制限する。
【００２３】
図２Ｂに示された実施形態では、マウンティングブラケット２５０は、電子機器の２つ折り式の蓋部分が開き始める位置に対応する、直立位置に存在する。この状態では、ブラケットマウント２５２のカム面は、カム２４０と係合しておらず、付勢ばね２４２が、マウンティングブラケット２５０に向かって矢印で示された方向にカム２４０を付勢し、従動アーム２４６が所定の位置に配置されて、圧縮ばね２３２がロックピン２３０を上方向に押し上げて、スイングアーム２２０が軸２６０周りに回転可能となる。
【００２４】
図２Ｃには、電子機器の２つ折り式のカバーが閉じた状態に対応する閉位置にブラケット２５０が位置した状態のスイングアームアセンブリが描かれている。この状態では、ブラケットマウント２５２のカム面は、カム２４０に係合しており、カム面からの力によってばね２４２が圧縮され、従動アーム２４６が、スイングアーム２２０上の矢印で示された方向に駆動される。従動アーム２４６がロックピン２３０の傾斜面２３８に接触して、従動アーム２４６の動きによりロックピン２３０が下向き方向に押されて孔２３６（図２Ａ）に入り、スイングアーム２２０がベース２１０にロック（固定）される。
【００２５】
このように、ヒンジブラケット２５０のカム面およびカム２４０は、ブラケット２５０がシャフト２２２上で回転する角運動の範囲を規定する一方、スイングアーム２２０がベース２１０に対して回転することを可能にしている。図３Ａに示すように、アセンブリ２００が電子機器の筐体に配置されると、第１部分１６０と第２部分１６２との間の角度範囲が規定され、その範囲内において、第２部分１６２が、第１部分１６０の面に対して垂直な軸（すなわち、Ｚ軸２６０）周りに回転する。それにより、ディスプレイパネルが、Ｚ軸回りに第１の角運動範囲内で回転可能とし、Ｚ軸回りに第２の角運動範囲内では回転不可能とされる。図３Ａには、第１の角運動範囲がθで示されており、θ＝９０°±６０°である。電子機器が閉じた状態になると、カム２４０および従動アーム２４６により、ロックピン２３０が押されて孔２３６に入り、スイングアーム２２０が所定の場所にベース２１０に対してロックされる。電子機器が開かれると、ブラケットマウント２５２のカム面とカム２４０が外れて、圧縮ばね２３２がロックピン２３０を孔２３６から押し出すことを可能にし、スイングアームアーム２２０および第２部分１６２がＺ軸２６０周りに回転可能になる。
【００２６】
図２Ａから図２Ｃに示す実施形態では、インサート２１６は、インサート２１６の両端に、ロックピン２３０を受容する２つの孔２１８を有する。２つの異なる孔２１８は、筐体のＺ軸２６０周りの回転がロックされる４つの別個に設けられた位置を規定する。第１位置は、２つ折り式の筐体が閉じた状態に対応する。第２位置は、２つ折り式の筐体が、Ｚ軸２６０周りの回転可能な角度範囲を超えて開いた状態に対応する。第３位置は、２つ折り式の筐体が開いた状態であり、第２部分１６２がＺ軸回りに１８０°回転されて、第１部分１６０の上に閉じて置かれた状態に対応する。この第３位置では、ラップトップコンピュータのディスプレイ部分がベース部分の上に畳まれて置かれた状態となり、ラップトップコンピュータをタブレットコンピュータのように使用することができる。第４位置は、第２部分１６２が回転された場合に、２つ折り式の筐体がＺ軸２６０周りの回転可能な角度範囲を超えて開いた状態に対応する。ブラケット２５０が角度範囲に位置すると、アセンブリ２００が回転可能となる。
【００２７】
当業者であれば、このようなロックピン２３０の構成により、筐体の第２部分１６２の筐体の第１部分１６０に対する角運動の範囲を制限することができ、スイングアーム２２０がＺ軸２６０周りに回転可能となることが理解できる。より詳細には、ロックピン２３０が、インサート２１６内の孔２１８に配置されていない時には、第２部分１６２を、回転可能な角運動範囲を超えて動かすことはできない。さらに、当業者であれば、ピン２３０を反対方向に付勢して、ピン２３０により、スイングアーム２２０をベース２１０に固定してもよいことが理解できる。この実施形態において、カムの従動アーム２４６を、ピン２３０を上向きに付勢するような位置に配置して、スイングアーム２２０をベース２１０から解放してもよい。
【００２８】
上記したように、ある実施形態では、電子機器は、コンピュータシステムであってもよい。図４は、ある実施形態に係るコンピュータシステム４００が概略的に示されている。コンピュータシステム４００は、コンピュータデバイス４０２および（例えば、コンピュータデバイス４０２に電力を供給するための）電源アダプタ４０４を備える。コンピュータデバイス４０２は、ラップトップ（またはノートブック）コンピュータ、パーソナル・デジタル・アシスタント（ＰＤＡ）、デスクトップコンピュータデバイス（例えば、ワークステーションまたはデスクトップコンピュータ）、ラックに搭載されたコンピュータデバイス等の好適なコンピュータデバイスであってもよい。
【００２９】
電力は、（例えば、コンピュータデバイス電源４０６を通じて）１つまたは複数の電源により、コンピュータデバイス４０２の様々な部品に供給されていてもよい。電源としては、１つ以上の電池パック、交流（ＡＣ）コンセント（例えば、電源アダプタ４０４のような変圧器および／またはアダプタを通じて）、自動車の電源装置、飛行機の電源装置等が挙げられる。ある実施形態では、電源アダプタ４０４は、電源の出力（例えば、ＡＣコンセントのおよそ１１０〜２４０ＶＡＣ電圧）を、およそ５〜１２．６ＶＤＣの間の直流（ＤＣ）電圧に変換してもよい。この場合、電源アダプタ４０４は、ＡＤ／ＤＣアダプタであってもよい。
【００３０】
また、コンピュータデバイス４０２は、１つ以上の中央演算処理装置（ＣＰＵ）４０８を備えてもよい。ある実施形態では、ＣＰＵ４０８は、カリフォルニア州サンタクララに本社を置くインテル（登録商標）コーポレーション製の、ペンティアム（登録商標）ＩＩプロセッサシリーズ、ペンティアム（登録商標）ＩＩＩプロセッサシリーズ、ペンティアム（登録商標）ＩＶまたはＣＯＲＥ２Ｄｕｏプロセッサを含む１つ以上のペンティアム（登録商標）ファミリーのプロセッサであってもよい。あるいは、インテル（登録商標）のＩｔａｎｉｕｍ（登録商標）、ＸＥＯＮ（登録商標）およびＣｅｌｅｒｏｎ（登録商標）プロセッサのようなその他のＣＰＵであってもよい。また、他の製造者によって製造された１つ以上のプロセッサを利用してもよい。また、プロセッサは、シングルコア設計であってもよいし、マルチコア設計であってもよい。
【００３１】
チップセット４１２を、ＣＰＵ４０８と連結するまたは一緒に集積させてもよい。チップセット４１２は、メモリコントロールハブ（ＭＣＨ）４１４を含んでもよい。ＭＣＨ４１４は、メインシステムメモリ４１８に連結されるメモリコントローラ４１６を含んでもよい。メインシステムメモリ４１８は、データ、および、ＣＰＵ４０８またはシステム４００に含まれる他のデバイスによって実行される命令シーケンスを格納してもよい。ある実施形態では、メインシステムメモリ４１８は、ランダムアクセスメモリ（ＲＡＭ）を含んでもよい。また、ダイナミックＲＡＭ（ＤＲＡＭ）、シンクロナスＤＲＡＭ（ＳＤＲＡＭ）のようなその他の種類のメモリを使用して、メインシステムメモリ４１８を実装してもよい。また、複数のＣＰＵおよび／または複数のシステムメモリのようなデバイスをさらに、バス４１０に連結させてもよい。
【００３２】
ＭＣＨ４１４は、また、グラフィックスアクセルレーター４２２と連結されたグラフィックスインターフェース４２０を含んでもよい。ある実施形態では、グラフィックスインターフェース４２０は、グラフィックスアクセルレーター４２２と、アクセラレーティッドグラフィックスポート（ＡＧＰ）を通じて連結されていてもよい。ある実施形態では、ディスプレイ４４０（例えば、フラットパネルディスプレイ）を、例えば、ビデオメモリまたはシステムメモリのような記憶デバイスに格納された画像のデジタル表現を、ディスプレイによって表示される表示信号に変換するシステムシグナルコンバータを通じて、グラフィックスインターフェース４２０に連結させてもよい。ディスプレイデバイスによって生成されたディスプレイ４４０の信号は、様々な制御装置を通過した後に変換されて、ディスプレイに表示される。
【００３３】
ハブインターフェース４２４は、ＭＣＨ４１４をプラットフォームコントロールハブ（ＰＣＨ）４２６に連結する。ＰＣＨ４２６は、コンピュータシステム４００に連結された入出力（Ｉ／Ｏ）デバイスのインターフェースを提供する。ＰＣＨ４２６は、ＰＣＩ（ペリフェラル・コンポーネント・インターコネクト）バスに接続されていてもよい。この場合、ＰＣＨ４２６は、ＰＣＩバス４３０のインターフェースを提供するＰＣＩブリッジ４２８を含んでもよい。ＰＣＩブリッジ４２８は、ＣＰＵ４０８と周辺機器との間のデータパスを提供する。加えて、米国カリフォルニア州サンタクララに本社をおくインテルコーポレーションから入手可能なＰＣＩエクスプレス（登録商標）アーキティチャのような他の種類のＩ／Ｏインターコネクトトポロジーを利用してもよい。
【００３４】
ＰＣＩバス４３０を、オーディオデバイス４３２および１つ以上のディスクドライブ４３４と連結してもよい。また、他のデバイスをＰＣＩバス４３０と連結させてもよい。加えて、ＣＰＵ４０８およびＭＣＨ４１４を組み合わせて、１つのチップを形成してもよい。さらに、他の実施形態では、ＭＣＨ４１４内に、グラフィックスアクセラレータ４２２を配置してもよい。
【００３５】
さらに、様々な実施形態において、他の周辺機器をＰＣＨ４２６と連結させてもよく、そのような周辺機器としては、例えば、ＩＤＥ（integrated drive electronics）またはＳＣＳＩ（small computer system interface）ハードドライブ、ＵＳＢ（universal serial bus）ポート、キーボード、マウス、パラレルポート、シリアルポート、フロッピー（登録商標）ディスクドライブ、デジタルアウトプットサポート（例えば、デジタルビデオインターフェース（ＤＶＩ））等が挙げられる。コンピュータデバイス４０２は、揮発性および／または不揮発性メモリを含んでもよい。
【００３６】
本明細書において、"論理命令（ロジックインストラクション）"という言葉は、１つ以上の論理オペレーションを実行するために１つ以上の機械が理解可能な表現に関して使用されている。例えば、論理命令は、１つ以上のデータオブジェクトについて１つ以上のオペレーションを実行するためのプロセッサコンパイラが翻訳可能な命令を含む。しかしながら、これは単なる機械可読命令の一例に過ぎず、実施形態はこの点に関して限定されない。
【００３７】
本明細書において、"コンピュータ可読媒体"という言葉は、１つ以上の機械が理解可能な表現を保持可能な媒体に関して使用されている。例えば、コンピュータ可読媒体は、コンピュータ可読命令またはデータを格納する１つ以上の記憶デバイスを含む。そのような記憶デバイスとしては、例えば、光学、磁気または半導体記憶媒体が含まれる。しかしながら、これは、コンピュータ可読媒体の単なる一例に過ぎず、実施形態はこの点に関して限定されない。
【００３８】
本明細書において、"ロジック（論理）"という言葉は、１つ以上の論理オペレーションを実行するための構造に関して使用されている。例えば、ロジックは、１つ以上の入力信号に基づいて１つ以上の出力信号を供給する回路を含む。このような回路としては、デジタル入力を受信してデジタル出力を供給する有限状態機械、または１つ以上のアナログ信号に応じて１つ以上のアナログ出力信号を提供する回路が含まれる。このような回路は、特定用途向け集積回路（ＡＳＩＣ）またはフィールドプログラマブルゲートアレイ（ＦＰＧＡ）に設けられていてもよい。また、ロジックは、メモリに格納される機械可読命令を含んでもよく、機械可読命令を実行する処理回路と共に提供されていてもよい。しかしながら、これらは、論理を提供する構造の単なる一例に過ぎず、実施形態はこの点に関して限定されない。
【００３９】
本明細書に記載された方法のいくつかを、コンピュータ可読媒体における論理命令として具現化してもよい。プロセッサにおいて実行される場合、論理命令は、上述のような方法を実装する専用機械としてプロセッサにプログラミングを行う。本明細書に記載された方法を実行する論理命令によって、プロセッサが構成される場合、プロセッサは、上述の方法を実行する構造によって構成される。これに替えて、また、本明細書に記載された方法を、例えば、フィールドプログラマブルゲートアレイ（ＦＰＧＡ）や特定用途向け集積回路ＡＳＩＣ上のロジックに還元してもよい。
【００４０】
本明細書の記載および特許請求の範囲において"連結された（ｃｏｕｐｌｅｄ）"若しくは"接続された（ｃｏｎｎｅｃｔｅｄ）"、または、これらの派生語が使用されている。特定の実施形態において、"接続された"という言葉は、２つ以上の要素が直接物理的にまたは電気的に互いに接触していることを意味する。一方、"連結された"という言葉も、２つ以上の要素が直接物理的にまたは電気的に接触していることを意味すると同時に、直接互いに接続されていないが互いに協働または相互作用する関係にあることも意味する。
【００４１】
また、本明細書において、本発明の"一実施形態"または"ある実施形態"との言葉は、実施形態に関連する特定の特徴、構造および特性が、少なくとも本発明の実施形態の一つに含まれていることを意味する。したがって、本明細書中の様々な箇所で使用されている"一実施形態において"という表現は、同一の実施形態を意味している場合もあるが、示していない場合もある。
【００４２】
実施形態が特定の構造的な特徴および／または方法的な動作として説明されたが、特許請求の範囲に含まれる特徴は、上述した特定の構造または動作に限定されるものではない。むしろ、特定の特徴や動作は、特許請求の範囲の技術的特徴を実装する形態例として開示されているものである。
【図１】
0005848816.tif 000002
【図２Ａ】
0005848816.tif 000003
【図２Ｂ】
0005848816.tif 000004
【図２Ｃ】
0005848816.tif 000005
【図３Ａ】
0005848816.tif 000006
【図３Ｂ】
0005848816.tif 000007
【図４】
0005848816.tif 000008